(57)【特許請求の範囲】
【請求項１】
着地時に接地する接地面を有するアウトソール３と、前記アウトソール３の上に配置され着地の衝撃を緩和するミッドソール２とを備えた靴底１において、
足のアーチを含む踏まず領域１１ａにおいて足の内側を支える内側踏まず部２１，３１と、
前記踏まず領域１１ａにおいて足の外側を支える外側踏まず部２２，３２と、
前記内側踏まず部２１，３１と外側踏まず部２２，３２との間において前後方向に長い帯状の帯状部４，２ｂとを備え、
前記帯状部４，２ｂにおける前記アウトソール３の部位は下方に向かって突出し前記アウトソール３の一部を形成する突部４０を有し、
前記突部４０は前後方向に連続的ないし断続的に延びており、
前記突部４０の接地面は前記内側踏まず部２１，３１および外側踏まず部２２，３２の底面よりも下方に突出しており、
ここにおいて、前記踏まず領域１１ａは非着用状態において接地せず、かつ、着用者の荷重が前記ミッドソール２の上面に加わることにより、前記内側および外側踏まず部２１，３１、２２，３２が接地しない状態を維持しながら、前記帯状部４，２ｂが下方に下がって前記突部４０が接地することを特徴とする靴底。
【請求項２】
請求項１の靴底において、
前記非着用状態において前記突部４０の接地面と仮想の平らな路面Ｒとの間には足の内側から外側に向かって貫通する空隙Ｓが形成されるように、前記非着用状態における前記突部４０の底面の縦断面の包絡線が上方に向かって凸の円弧状の曲線を形成している靴底。
【請求項３】
請求項１または２の靴底において、
前記靴底１は前記踏まず領域１１ａよりも前方の踏付領域１２ａと前記踏まず領域１１ａよりも後方の踵領域１３ａとを包含し、
前記突部４０は、少なくとも、前記踵領域１３ａの前端から前記踏付領域１２ａの後端まで、前記足の内側および外側の間の中央部において足の前後方向Ｘに延び、
前記非着用状態において前記突部４０は、前記踵領域１３ａの前記前端よりも後方の第１接地部４１において前記路面に接地し、かつ、前記踏付領域１２ａの前記後端よりも前方の第２接地部４２において前記路面に接地し、前記第１接地部４１と第２接地部４２との間において前記突部４０の包絡線が前記円弧状の曲線を形成している靴底。
【請求項４】
請求項３の靴底において、
前記第１接地部４１が前記踵領域１３ａの中心から前記踵領域１３ａの前記前端までの位置に配置され、
前記第２接地部４２が前記踏付領域１２ａにおける第２趾のＭＰ関節から前記踏付領域１２ａの前記後端までの位置に配置されている靴底。
【請求項５】
請求項３または４の靴底において、
前記非着用状態において、前記踵領域１３ａのアウトソール３の底面は前記第１接地部４１が前記踵領域１３ａの内側踵部３５および外側踵部３６に比べ下方に突出しており、かつ、前記踵領域１３ａのミッドソール２の上面に前記着用者の荷重が加わった際に前記第１接地部４１が接地すると、前記踵領域１３ａの帯状部４，２ｂが圧縮されて、前記内側踵部３５および外側踵部３６の双方が接地する靴底。
【請求項６】
請求項３〜５のいずれか１項の靴底において、
前記非着用状態、ならびに、前記踏付領域１２ａおよび踵領域１３ａのミッドソール２の上面に前記着用者の荷重が加わるフットフラットの状態の双方において、前記踏付領域１２ａのアウトソール３の底面は前記第２接地部４２が内側踏付部３３および外側踏付部３４に比べ下方に突出している靴底。
【請求項７】
請求項３〜６のいずれか１項の靴底において、
前記踏付領域１２ａにおける第２趾のＭＰ関節に相当する部位の前記アウトソール３の厚さが、当該部位の前方および後方のアウトソール３の厚さに比べ大きい靴底。
【請求項８】
請求項７の靴底において、
前記踏付領域１２ａにおいて、前記第２趾のＭＰ関節を覆うアウトソール３の厚さが大きいＭＰ部が前記中央部から足の内側および外側に延びている靴底。
【請求項９】
請求項３〜８のいずれか１項の靴底において、
前記踏付領域１２ａにおいて、前記ＭＰ部の真上のミッドソール２の部位にはミッドソール２の上面にミッドソール２よりもヤング率の大きい硬質プレートが付着されている靴底。
【請求項１０】
請求項３〜９のいずれか１項の靴底において、
前記踏付領域１２ａにおける内側および外側の前端部３８に設けられた前記アウトソール３の硬度よりも前記突部４０を形成するアウトソール３の硬度の方が大きい靴底。
【発明の詳細な説明】
【技術分野】
【０００１】
本発明は、日常的に着用することによって姿勢矯正や筋力増強のトレーニングとなり得る靴の靴底に関する。
【背景技術】
【０００２】
足裏の荷重の中心が一定の圧力中心に沿った状態で歩行することにより、美しい歩行姿勢が得られる。しかし、現代人、特に女性や高齢者は筋力が弱く、そのため、圧力中心が歩行中に足の内外に動揺し易い。
【０００３】
トレーニング用に接地面が突出した履物の改良については、本出願人による下記の特許文献１が存在する。また、靴底の前足部の少なくとも一部を１０ｍｍ以上の厚さに設定すると共に、前足部の少なくとも一部を踵部以上に底高にした筋力アップ用の靴底も公知である。（特許文献２）
【先行技術文献】
【特許文献】
【０００４】
【特許文献１】ＰＣＴ／ＪＰ２００９／２３２９（要約）
【特許文献２】特許第３３０２６１２号（要約）
【発明の概要】
【発明が解決しようとする課題】
【０００５】
しかし近年、安定性をより一層維持しながらトレーニングすることが可能な履物、筋活動量を効果的に増加させることが可能な履物等が望まれている。また、特許文献２に記載の靴底はトレーニングには適しているものの、たとえば、靴底の前足部が厚くなりすぎたりして、見栄えがスマートでないという課題があるため、見栄えを損なうことなくシェイプアップの効果を奏する履物が望まれている。
【０００６】
本発明の目的は、前記トレーニングの靴底に改良を加え、安定した歩行姿勢の維持することができ、および／または、靴の見栄えが損なわれることなくシェイプアップの効果を奏することができる靴底を提供することである。
【課題を解決するための手段】
【０００７】
着地時に接地する接地面を有するアウトソールと、前記アウトソールの上に配置され着地の衝撃を緩和するミッドソールとを備えた靴底において、足のアーチを含む踏まず領域において足の内側を支える内側踏まず部と、前記踏まず領域において足の外側を支える外側踏まず部と、前記内側踏まず部と外側踏まず部との間において前後方向に長い帯状の帯状部とを備え、前記帯状部における前記アウトソールの部位は下方に向かって突出し前記アウトソールの一部を形成する突部を有し、前記突部は前後方向に連続的ないし断続的に延びており、前記突部の接地面は前記内側踏まず部および外側踏まず部の底面よりも下方に突出しており、ここにおいて、前記踏まず領域は非着用状態において接地せず、かつ、着用者の荷重が前記ミッドソールの上面に加わることにより、前記内側および外側踏まず部が接地しない状態を維持しながら、前記帯状部が下方に下がって前記突部が接地することを特徴とする靴底。
【発明の効果】
【０００８】
本発明によれば、以下に記述する（ｉ）〜（ｉｉｉ）の効果を期待できるだろう。
効果（ｉ）：
本発明の靴底を有する靴を着用者が着用して歩行すると、踏まず領域において中央の突部が接地し、かつ、内側および外側踏まず部が接地しない。そのため、着用者は帯状部の存在を接地時の反力により足裏に感じることができ、当該帯状部の上に圧力中心が位置するように歩こうとすることで、安定した歩行姿勢の維持や、更に筋活動量の増加が期待できる。
【０００９】
効果（ｉｉ）：
特に、本発明の靴底においては、踏まず領域の突部は非着用時に接地せず、かつ、歩行の荷重により接地する。つまり、踏まず領域のミッドソールの上面はラスト（靴の製作時に靴内に挿入される足型）により設計されたレベルよりも下方に下がることになるので、坂道を上がる際と近似した状態に足や足首が変形する。その結果、靴底の前足部を然程厚くしなくても坂道を上がる際と同様な負荷が脚等の筋肉に加わって、靴の見栄えが損なわれることなくシェイプアップの効果が期待できる。
【００１０】
効果（ｉｉｉ）：
なお、踏まず領域の突部は歩行時の荷重により接地する。したがって、着用中に突部による歩行の安定性が阻害されにくいかもしれない。
【００１１】
本発明において、突部は、前後方向に分断されることなく連続的に形成されていてもよいし、あるいは、前後方向に分断されて断続的に形成されていてもよい。
また、「前後方向に延びており」とは、帯状部が足の長軸に沿って前方に延びる場合の他、帯状部が踏まず部の外縁または内縁に沿って斜め前方などに延びる場合を含むことを意味する。
「帯状」とは、帯状部の足幅方向の幅よりも帯状部の前後方向の長さが大きいことを意味する。
【００１２】
ミッドソールは主として樹脂の発泡体で形成されるが、前記発泡体以外にゴム弾性を持つ軟質樹脂が後足や内側および外側に配置されていてもよい。一方、アウトソールはゴムの発泡体または非発泡体やウレタン樹脂で形成するのが好ましい。
【図面の簡単な説明】
【００１３】
【図１】図１は本発明の一実施例にかかる靴底を斜め後方から見た状態で示す概略斜視図である。
【図２】図２Ａは図２ＢのIIA-IIA 線で断面した非着用状態の靴底の縦断面図、図２Ｂはミッドソールの概略平面図である。
【図３】図３は靴底と足の骨格との関係を示す概略底面図である。
【図４】図４は靴底を示す概略底面図である。
【図５】図５Ａ〜図５Ｆはそれぞれ図４のVA〜VFにおける非着用状態の靴の横断面図である。
【図６】図６Ａおよび図６Ｂは変形前および変形後の靴底を示す概略縦断面図である。
【発明を実施するための形態】
【００１４】
本発明の好的な実施例では、前記非着用状態において前記突部の接地面と仮想の平らな路面との間には足の内側から外側に向かって貫通する空隙が形成されるように、前記非着用状態における前記突部の底面の縦断面の包絡線が上方に向かって凸の円弧状の曲線を形成している。
【００１５】
この場合、円弧状の曲線に沿った形状を持つアーチ状の突部の底面は着用者の荷重により変形し、路面に前記踏まず領域の全長にわたって接地し易い。
なお、円弧状の曲線には、円の一部である円弧の他に放物線、楕円、双曲線などの一部が含まれ、更に、突部およびミッドソールを梁に見立てた単純梁や両端固定の不定静梁の撓み曲線や、これらの曲線に近似した曲線が含まれる。
【００１６】
本発明の更に好的な実施例では、前記靴底は前記踏まず領域よりも前方の踏付領域と前記踏まず領域よりも後方の踵領域とを包含し、前記突部は、少なくとも、前記踵領域の前端から前記踏付領域の後端まで、前記足の内側および外側の間の中央部において足の前後方向に延び、前記非着用状態において前記突部は、前記踵領域の前記前端よりも後方の第１接地部において前記路面に接地し、かつ、前記踏付領域の前記後端よりも前方の第２接地部において前記路面に接地し、前記第１接地部と第２接地部との間において前記突部の包絡線が前記円弧状の曲線を形成している。
【００１７】
この場合、２つの前後の接地部の間において形成された円弧状の曲線は、ミッドソールを介してアウトソールが下方に低下することにより、踏まず領域において突部の接地面が前後方向の全長にわたって接地し、これを足裏に感じることができる。
【００１８】
本発明の更に好的な実施例では、前記第１接地部が前記踵領域の中心から前記踵領域の前記前端までの位置に配置され、前記第２接地部が前記踏付領域における第２趾のＭＰ関節から前記踏付領域の前記後端までの位置に配置されている。
【００１９】
この場合、着地時に踵の後端から前端に向かって接地する際に第１接地部が踵領域の中心またはその前方に配置されているから、ファーストストライクないしヒールコンタクトの際に接地状態が安定し易いかもしれない。
踵領域および踏付領域の双方が接地するフットフラットにおいては、まず、第１および第２接地部が接地する。フットフラットにおいて、足裏の荷重がミッドソールの上面に加わると、ミッドソールと共に踏まず領域の帯状部が変形して突部が下方に下って接地し、踏まず領域に帯状部を感じる。
前記フットフラットから足が蹴り出し始める直前のミッドスタンスに至るまでに、前記帯状部が下方に下がることで前記第２接地部のミッドソールの上面が踏まず領域のミッドソール上面に対し高いレベルとなり、着用者の脚の筋肉には坂道を上がるような負荷が加わる。その結果、靴底の前足部を然程底高にしなくても、シェイプアップ効果が高まる。
【００２０】
本発明の更に好的な実施例では、前記非着用状態において、前記踵領域のアウトソールの底面は前記第１接地部が前記踵領域の内側踵部および外側踵部に比べ下方に突出しており、かつ、前記踵領域のミッドソールの上面に前記着用者の荷重が加わった際に前記第１接地部が接地すると、前記踵領域の帯状部が圧縮されて、前記内側踵部および外側踵部の双方が接地する。
この場合、接地状態が更に安定し、坂道効果が増大するかもしれない。
【００２１】
本発明の更に好的な実施例では、前記非着用状態、ならびに、前記踏付領域および踵領域のミッドソールの上面に前記着用者の荷重が加わるフットフラットの状態の双方において、前記踏付領域のアウトソールの底面は前記第２接地部が前記内側踏付部および外側踏付部に比べ下方に突出している。
この場合、前記突部を足裏に感じる事ができるだけでなく、前記坂道効果が大きくなるだろう。
【００２２】
本発明の更に好的な実施例では、前記踏付領域における第２趾のＭＰ関節に相当する部位の前記アウトソールの厚さが、当該部位の前方および後方のアウトソールの厚さに比べ大きい。
【００２３】
この場合、ミッドソールよりもヤング率の大きい、つまり、圧縮されにくいアウトソールの厚さが大きくなり、その分だけ前記ミッドソールの厚さを小さくすることができる。つまり、第２趾のＭＰ関節において、ミッドソールの上面からアウトソールの底面までのトータル的なソールの圧縮剛性が大きく、そのため、歩行時に前記部位においてソールの底高が維持され坂道効果によるシェイプアップの効果を期待できる。特に、歩行時に着用者の体重が帯状部に加わることで、踏まず部が下に沈むから坂道を上がるのと同様な負荷が脚の筋肉に加わる。そのため、シェイプアップ効果が高まる。
【００２４】
本発明の更に好的な実施例では、前記踏付領域において、前記第２趾のＭＰ関節を覆うアウトソールの厚さが大きいＭＰ部が前記中央部から足の内側および外側に延びている。
【００２５】
この場合、厚さの大きいＭＰ部がＭＰ関節を覆い足の内外に延びていることで、ＭＰ関節の屈曲時の負荷が大きくなり、坂道効果が増大する。
【００２６】
本発明の更に好的な実施例では、前記踏付領域において、前記ＭＰ部の真上のミッドソールの部位にはミッドソールの上面にミッドソールよりもヤング率の大きい硬質プレートが付着されている。
【００２７】
この場合、前記屈曲時の負荷が更に大きくなるだろう。
【００２８】
本発明の更に好的な実施例では、前記踏付領域における内側および外側の前端部に設けられた前記アウトソールの硬度よりも前記突部を形成するアウトソールの硬度の方が大きい。
【００２９】
この場合、突部は硬く、そのため、足裏に帯状部の存在あるいは帯状部からの反力を着用者は感じ易いだろう。それ故、着用者は帯状部を意識して歩行し、その結果、所期の美しい歩行姿勢を維持することができるなど、前記効果（ｉ）が得られ易いだろう。
【実施例】
【００３０】
以下、本発明の実施例が図面にしたがって説明される。以下の説明では、左足用の靴底１が例示して説明される。
図１に示すように、靴底１は、アウトソール３およびミッドソール２を備えている。なお、図１においてはアウトソール３の接地面に形成された微細な溝（いわゆる意匠）は、省略されている。
【００３１】
アウトソール３は図６Ａおよび図６Ｂの路面Ｒと接する接地面を有している。
ミッドソール２は、図２Ａに示すように、アウトソール３の上に配置され、着地の衝撃を緩和するものである。そのため、ミッドソール２はアウトソール３よりも厚く形成されている。
【００３２】
図１において、ミッドソール２の底面には、網点で示す複数個のパーツに分離されたアウトソール３が設けられている。アウトソール３およびミッドソール２の内外の中央には、図１の帯状部４および図２Ｂの帯状部２ｂがそれぞれ設けられている。
【００３３】
踏付領域１２ａ；
図３において、前足部は踏付領域１２ａを含む。踏付領域１２ａは、中足趾節間関節ＭＰを含み、詳しくは第１趾〜第４趾の第１中足骨Ｂ４1 〜第４中足骨Ｂ４4 の骨頭と、第１趾〜第４趾の第１基節骨Ｂ３1 〜第４基節骨Ｂ３4 とを含む。
【００３４】
図４に示す踏付領域１２ａには、前記ミッドソール２およびアウトソール３の内側踏付部２３，３３、外側踏付部２４，３４および帯状部２ｂ，４の一部が設けられている。
内側踏付部２３，３３は踏付領域１２ａにおいて足の内側（ＩＮ）を支える部分である。外側踏付部２４，３４は踏付領域１２ａにおいて足の外側（ＯＵＴ）を支える部分である。
【００３５】
図２Ｂおよび図４に示す踏まず領域１１ａにおいて、前記ミッドソール２およびアウトソール３には、内側踏まず部２１，３１、外側踏まず部２２，３２および帯状踏まず部２ｂ１，４０１が形成されている。
内側踏まず部２１，３１は踏まず領域１１ａにおいて足の内側（ＩＮ）を覆う部分である。外側踏まず部２２，３２は踏まず領域１１ａにおいて足の外側（ＯＵＴ）を覆う部分である。
【００３６】
帯状踏まず部２ｂ１，４０１は、それぞれ前記帯状部２ｂ，４の一部を構成している。帯状踏まず部２ｂ１，４０１は、内側踏まず部３１（２１）と外側踏まず部３２（２２）との間において前後に長い帯状の部分である。
したがって、帯状部４の一部を構成する帯状踏まず部４０１，２ｂ１の幅方向Ｗの両サイドには、内側踏まず部３１，２１および外側踏まず部３２，２２が形成されている。
【００３７】
すなわち、帯状部２ｂ，４は、内側踏付部２３，３３と外側踏付部２４，３４との間、ならびに、内側踏まず部２１，３１と外側踏まず部２２，３２との間に設けられており、図２のミッドソール２の帯状部２ｂは連続的に連なっている。
【００３８】
図２Ｂおよび図３において、ミッドソール２はたとえばＥＶＡなどの樹脂の発泡体で形成されている。
【００３９】
図２Ｂのミッドソール２における帯状部２ｂの硬度は、前記帯状部２ｂ以外の部分２ａの硬度よりも大きい。なお、帯状部２ｂには網点が付されて図示されている。
たとえば、ミッドソール２の前記部分２ａの発泡体の硬度は、Ｃ硬度で５３度程度に設定されており、一方、帯状部２ｂの硬度は、Ｃ硬度で７５度に設定されている。ここで、Ｃ硬度とは、ＪＩＳ  Ｋ  ７３１２に規定される硬度をいう。
なお、ミッドソール２の踵領域１３ａには他の部位に比べ硬度の小さい図２ＡのＥＶＡのパーツ２００やゲル２０１を配置してもよい。
【００４０】
図１の網点で示すように、アウトソール３は互いに分離された複数個のパーツからなり、前記ミッドソール２の後足部および前足部の底面に島状に配置されている。
【００４１】
帯状部４の両サイドのミッドソール２の底面には、各々、非発泡の樹脂パーツからなる内側および外側強化プレート３９が配置されている。各強化プレート３９はミッドソール２のＥＶＡよりもヤング率が大きく、ミッドソール２の裏面に固着されている。
【００４２】
前記踏付領域１２ａにおける第２趾のＭＰ関節に相当する部位の前記アウトソール３の硬度よりも前記突部４０を形成するアウトソール３の硬度の方が大きくてもよいが、両者は同じであってもよい。また、アウトソールの帯状部４の硬度はアウトソールの他の部位に比べ硬度が大きくてもよいし、同じであってもよい。たとえば、前記踏付領域１２ａにおける内側および外側の前端部３８に設けられた前記アウトソール３の硬度よりも前記突部４０を形成するアウトソール３の硬度の方が大きくてもよい。
なお、硬度の相違に応じてアウトソール３の各パーツについては、互いに異なる網点の大きさおよび密度で示されている。
【００４３】
図２Ａに示すように、前記踏付領域１２ａにおける第２趾のＭＰ関節に相当する部位の前記アウトソール３の厚さは、当該部位の前方および後方のアウトソール３の厚さに比べ大きいことが好ましい。図１の前記踏付領域１２ａにおいて、前記第２趾のＭＰ関節を覆うアウトソール３の厚さが大きいＭＰ部は前記中央部から足の内側および外側に延びている。また、図２Ａにおいて、前記踏付領域１２ａにおける第２趾のＭＰ関節に相当する部位の前記アウトソール３の厚さを当該部位の前方および後方のアウトソール３の厚さと同じにして、当該部位の前記ミッドソール２の厚さ、硬度等を当該部位の前方および後方のミッドソール２のものに比べて適宜大きくしても、アウトソール３の厚さを変えた場合と同様の効果を奏する。
【００４４】
図２Ｂの前記踏付領域１２ａにおいて、前記ＭＰ部の真上のミッドソール２の部位にはミッドソール２の上面にミッドソール２よりもヤング率の大きい硬質プレート２ｐが付着されている。なお、前記硬質プレート２ｐの前方および後方のミッドソール２の部位には窪み２ｃを形成してもよい。
【００４５】
帯状部４；
図２Ａに示すように、アウトソール３の帯状部４は、ミッドソール２の帯状部２ｂに概ね対応する位置に設けられ、かつ、ミッドソール２の帯状部２ｂを覆うように重なって設けられている。アウトソール３の帯状部４は、ミッドソール２の帯状部２ｂよりも後方の第１接地部４１まで延設されている。
図４に示すように、アウトソール３の帯状部４は、足の前後方向Ｘに長い帯状に連続的に設けられている。帯状部４の幅は図２Ｂの帯状部２ｂと概ね同じ幅に設定されている。
【００４６】
図１の前記内側踏まず部３１と外側踏まず部３２との間には、アウトソール３の帯状部４の一部を構成する前記帯状踏まず部４１が連続的に形成されている。
【００４７】
突部４０；
図１に示すように、アウトソールの帯状部４のパーツはたとえば１個の突部４０で形成されている。突部４０は前後方向Ｘに長い帯状で、かつ、突部４０は帯状部４の延びる方向に沿って連続的に配置されている。
図５Ａ〜図５Ｅに示すように、突部４０の接地面は、その両側の接地面を構成する内側踏まず部３１、外側踏まず部３２、内側踏付部３３および外側踏付部３４の接地面よりも、下方Ｚ１に突出している。
【００４８】
このように、前記突部４０は帯状で、両側の部分３１〜３４よりも突部４０が接地し易い。それ故、着用者は着地から離地するまでの間に帯状部４に対応する部位を足裏に感じることができるだろう。
【００４９】
なお、「突部４０が下方Ｚ１に突出している」とは、平坦な路面に靴底の裏面を対面させた場合に、帯状部４において接地し、当該帯状部４の両側の部位が接地しない状態になり得ることを意味する。
また、突部４０には微細な溝（意匠）が設けられており、この溝の部分は両側の部位の接地面に対して突出していなくてもよい。
【００５０】
縦溝２ｄ，３ｄ：
図１、図４および図５Ａ〜図５Ｅに示すように、帯状部２ｂ，４と、その両側の靴底の部分との間には、縦溝２ｄ，３ｄが設けられている。前記ミッドソール２の縦溝２ｄはミッドソール２の下面から上方に向って窪んだ溝で形成され、一方、前記アウトソール３の縦溝３ｄはアウトソール３の帯状部４とその両側の部分３１，３２とを分離している。
すなわち、図４に示すように、前記縦溝２ｄ，３ｄは、帯状部４とその両サイドの内側踏まず部２１，３１、外側踏まず部２２，３２、内側踏付部２３，３３、外側踏付部２４，３４および前端部３５との連続性が低下するように形成されている。
【００５１】
図１に明示するように、前記ミッドソール２およびアウトソール３には多数の横溝２ｇ，３ｇが形成されている。これらの横溝２ｇ，３ｇは靴底の屈曲を容易にする。
【００５２】
つぎに、本発明の要部について説明する。
図６Ａに示すように、前記踏まず領域１１ａは非着用状態において接地せず、前記非着用状態において前記突部４０の接地面と仮想の平らな路面Ｒとの間には足の内側から外側に向かって貫通する空隙Ｓが形成されるように、前記非着用状態における前記突部４０の底面の縦断面の包絡線Ｌ４０が上方に向かって凸の円弧状の曲線を形成する。
なお、本発明において、前記非着用状態において前記突部４０の接地面と仮想の平らな路面Ｒとの間に空隙Ｓが形成されていればよく、前記非着用状態における前記突部４０の底面の縦断面の包絡線が上方に向かって凸の円弧状の曲線を形成する構成（図６Ａに示す構成）には限定されない。すなわち、空隙Ｓの形状は特に限定されず、適宜設計できる。たとえば、突部４０に凸状部が設けられていても、突部４０が複数の円弧状からなっていても、着用者の荷重が前記ミッドソール２の上面に加わることにより前記内側および外側踏まず部２１，３１、２２，３２が接地しない状態を維持しながら前記帯状部４，２ｂが下方に下がって前記突部４０が接地するような構成であればよい。
【００５３】
より詳しく述べると、図１の前記突部４０は、少なくとも、前記踵領域１３ａの前端から前記踏付領域１２ａの後端まで、前記足の内側および外側の間の中央部において足の前後方向Ｘに延びている。図６Ａの前記非着用状態において前記突部４０は、前記踵領域１３ａの前記前端よりも後方の第１接地部４１において前記路面Ｒに接地し、かつ、前記踏付領域１２ａの前記後端よりも前方の第２接地部４２において前記路面Ｒに接地し、前記第１接地部４１と第２接地部４２との間において前記突部４０の包絡線が前記円弧状の曲線を形成している。なお、本発明において、包絡線は円弧状の曲線に限定されず、荷重が加えられることによって帯状部４，２ｂが下方に下がって突部４０が接地するような曲線であればよい。たとえば、微小な凹凸を有する円弧状の曲線も包絡線に含まれる。
【００５４】
一方、着用者の荷重が前記ミッドソール２の上面に加わることにより、図５Ｄの前記内側および外側踏まず部２１，３１、２２，３２が接地しない状態を維持しながら、図６Ｂのように前記帯状部４，２ｂが下方に向かって撓むことで下方に下がって前記突部４０が直線状になって路面Ｒに接地する。
【００５５】
前記第１接地部４１は前記踵領域１３ａの中心よりも前方で、かつ、前記踵領域１３ａの前記前端との間に配置されている。一方、前記第２接地部４２は前記踏付領域１２ａにおける図３の第２趾のＭＰ関節よりも後方で前記踏付領域１２ａの前記後端との間に配置されている。
【００５６】
図５Ｅの前記非着用状態において、前記踵領域１３ａのアウトソール３の底面は前記第１接地部４１が前記踵領域１３ａの内側踵部３５および外側踵部３６に比べ下方に突出している。一方、前記踵領域１３ａのミッドソール２の上面に前記着用者の荷重が加わった際に前記第１接地部４１が接地すると、前記第１接地部４１の真上のミッドソール２は柔軟で前記踵領域１３ａのソールが圧縮されて、前記内側踵部３５および外側踵部３６の双方が接地する。
【００５７】
図５Ｂの前記非着用状態、ならびに、前記踏付領域１２ａおよび踵領域１３ａのミッドソール２の上面に前記着用者の荷重が加わるフットフラットの状態の双方において、前記踏付領域１２ａのアウトソール３の底面は前記第２接地部４２がこれの内外の内側踏付部３３および外側踏付部３４に比べ下方に突出している。
なお、前記踏付領域１２ａは内側から外側まで概ね同じ高さであってもよい。
【産業上の利用可能性】
【００５８】
本発明は、歩行姿勢の矯正や筋力の増強のトレーニング用の靴に適用できる。
【符号の説明】
【００５９】
１：靴底
２：ミッドソール
２ｂ１：帯状踏まず部
２ｄ，３ｄ：縦溝
３：アウトソール
４，２ｂ：帯状部
１１ａ：踏まず領域
１２ａ：踏付領域
１３ａ：踵領域
２１，３１：内側踏まず部
２２，３２：外側踏まず部
２３，３３：内側踏付部
２４，３４：外側踏付部
３５：内側踵部
３６：外側踵部
４０：突部
４１：第１接地部
４２：第２接地部
ＩＮ：内側
ＭＰ：中足趾節間（ＭＰ）関節
Ｒ：路面
Ｓ：空隙
Ｘ：前後方向
【図１】
0005324629.tif 000002
【図２】
0005324629.tif 000003
【図３】
0005324629.tif 000004
【図４】
0005324629.tif 000005
【図５】
0005324629.tif 000006
【図６】
0005324629.tif 000007